(57)【要約】【課題】見開き状態に広げた新聞の薄くて広い紙面の保持および紙面めくりを容易にする。また、新聞紙を広げて保持するパネルを垂直または垂直に近い状態にできるようにして閲覧場所の省スペースを計り、容易にテーブルまたは机の傍らに配置することを可能とする。また、不使用時は全体をコンパクトに折りたたんで片付けの容易化を計る。また、閲覧姿勢が床座及び椅子座のいずれの高さであっても対応できる。【解決手段】新聞紙面を見開き状態で広げられるパネル面の上部に、マグネットボタンで新聞紙を磁力で固定できるよう鉄系シートを貼りつける。更に、パネルは観音扉開閉式とし紙面中央折り返し部に折り返しガイドを設ける。【選択図】図４
2006305045.tif 000002
【特許請求の範囲】
【請求項１】
新聞紙を広げるパネルのパネル面を前後及び又は左右の傾斜角度を任意に変えることを可能とし、且つ、パネル面の一部にマグネットボタンの磁力で新聞紙面を固定するためオーステナイト系ステンレス鋼以外の鉄系シートを貼り付けてなる新聞閲覧用スタンド。
【請求項２】
新聞紙を広げるパネルのパネル面の前後及び又は左右の傾斜角度を任意に変えることを可能とし、且つ、少なくともパネル面がマグネットボタンの磁力で新聞紙面を固定するためオーステナイト系ステンレス鋼以外の鉄系鋼材で製作された新聞閲覧用スタンド。
【請求項３】
新聞紙を広げるパネルのパネル面が閲覧者に対し凹状の曲面を有する「請求項１」または「請求項２」の新聞閲覧用スタンド。
【請求項４】
新聞紙を広げるパネルのパネル面を観音開き状に折りたたむことを可能とした「請求項１」または「請求項２」または「請求項３」の新聞閲覧用スタンド。
【請求項５】
新聞紙を広げるパネルのパネル面に新聞紙面折り返し部を拘束するための折り返しガイドを前記パネル面において少なくとも上部一ヶ所に設けた「請求項１」または「請求項２」または「請求項３」または「請求項４」の新聞閲覧用スタンド。
【請求項６】
パネル面の高さを調節可能となるようにスタンドに高さ調節機構を有する「請求項５」の新聞閲覧用スタンド。
【発明の詳細な説明】
【技術分野】
【０００１】
本発明は新聞の紙面閲覧に関し、閲覧を容易にすることによってより迅速で的確な情報収集を可能にすると共に、閲覧場所の省スペースに寄与する新聞閲覧スタンド（以下、閲覧スタンドという）に関するものである。    
【背景技術】
【０００２】
図書館等で見られる天板が水平面よりやや傾斜した固定机が広く用いられている。
【発明の開示】
【発明が解決しようとする課題】
【０００３】
今日の情報化社会における日々の情報のうち、情報の紙媒体である新聞の紙面閲覧に関し、見開き状態に広げた新聞の薄くて広い紙面の保持よび紙面めくりを容易にし、紙面と閲覧者の視野が広くとれて紙面の隅々の目視距離も適正に確保することによって、眼と上体の疲れを軽減すると共に、より迅速で的確な情報収集を可能にする。
【０００４】
また、新聞紙を広げて固定するパネル（以下、パネルという）を垂直または垂直に近い状態にできるようにして閲覧場所の省スペースを計って、容易にテーブルまたは机の傍らに配置することを可能とする。
【０００５】
また、前記閲覧スタンドは、通常、限られた室内空間で使用するので持ち運びを容易にするため全体重量の軽減化と、不使用時は更にコンパクトに折りたたんで片付けの容易化を計る。
また、閲覧姿勢が床座及び椅子座のいずれの高さであっても対応できる。
【課題を解決するための手段】
【０００６】
紙面を広げた状態での新聞紙の紙面サイズはブランケット判（５４６ｍｍ（高さ）×８１３ｍｍ（幅））とタブロイド判（４０６．５ｍｍ（高さ）×５４６ｍｍ（幅））が一般的である。
本考案の新聞閲覧スタンドは主に屋内で人が手軽に使用できることが必要で持ち運び容易にするためできるだけ重量は軽い方が望ましい。
従って、前記閲覧スタンドの材質は比重の軽い金属（例えばアルミなど）で全体を構成したり、例えば前記パネルにアルミ板または木材合板を用いれば鉄製に比べて軽量化が可能である。
【０００７】
また、紙厚が薄い新聞紙を広げて垂直またはほぼ垂直の状態に固定する場合、新聞紙単独では紙面が上部から剥がれ垂れ下がり易い。
従って、前記パネルのうち少なくとも紙面上部に相当する部分にマグネットの磁力が有効な鉄を使用するか、前記パネルにアルミ板または木材合板を使用する場合は前記部分に鉄系シートを貼り付けて、マグネットボタンを適宜使用して固定する。
【０００８】
また、見開き状態の新聞紙面は左右方向に広いので、前記パネル面が二次元平面の場合は見開き状態の左上および左下および右上および右下の各部分は閲覧者の目から遠くなることにより特に老年者においては目視困難である。
【０００９】
従って、パネル部を安定支持するスタンド（以下、スタンドという）に対し、閲覧中に前記パネルを左右方向に回転可能となるように前記スタンドの垂直シャフト（以下、スタンドシャフトという）に回転自在機構を付加する。
または、前記パネル面が閲覧者に対し凹状の曲面を有するようにする。
また、通常、新聞は２０ページ（５シート）以上におよぶので閲覧時のページめくりの際に新聞の位置が左右方向にずれてページめくりが困難である。
【００１０】
従って、新聞紙面の折り返し部に相当するパネル中央部の少なくとも上部1ヶ所に折り返しガイドを設ける。
また、通常、新聞閲覧は日常的に狭い空間で行う場合が多いので、閲覧者がより閲覧し易いことが望ましい。
従って、省スペースと閲覧容易化のため、前記パネル面を床面に対し垂直または垂直に近い状態に調節可能とする。
【００１１】
また、新聞紙面を見開き状態で固定する前記パネルは、狭い空間においては相対的に大きいので使用時のままでの前記閲覧スタンドは不使用時に片付けが困難である。
従って、前記パネルを観音扉開閉式にして、前記閲覧スタンド不使用時は観音扉を閉じた状態にすると共に、前記スタンドの開閉式にされた脚部を閉じ且つ前記スタンドの高さ方向の長さを短縮可能として容易にコンパクトに折りたたむことができるようにする。
【００１２】
また、新聞閲覧時は閲覧者が床座状態または椅子座状態で使用されるので前記パネル面の必要床上高さが異なる。
従って、前記閲覧スタンド使用時は床面に対する前記パネル面の高さを少なくとも２段階に調節可能とする。
【発明の効果】
【００１３】
日常的に行う新聞閲覧に関し、新聞閲覧時の閲覧姿勢を楽にして紙面目視を容易にすると共に、閲覧場所の省スペースが計れ、且つ、テーブルまたは机の傍らに容易に配置できるので手軽に迅速なる日々の情報収集が可能となる利点がある。
また、床座および椅子座の状態で使用できる。
一方、閲覧スタンド不使用時は容易に折りたたんでコンパクト化できるので片付けが手軽にでき狭いスペースでの頻繁な使用に便利である。
【発明を実施するための最良の形態】
【００１４】
新聞紙面を見開き状態で広げられるパネル面の上部に、マグネットボタンで新聞紙を磁力で固定できるよう鉄系シートを貼りつける。
更に、閲覧者に対し当該パネルが左右に回転できると共にパネル面の傾斜が任意に調節可能となり、且つ、三脚が開閉式のスタンドに保持されている。
更に、パネルは観音扉開閉式とし紙面中央折り返し部に折り返しガイドを設ける。
【００１５】
更に、床からのスタンド高さを２段階に調節可能とする。
更に、閲覧スタンドを片付けの際に中間シャフト部を縮められる。
【実施例】
【００１６】
図1は本考案の第1実施例を示す。
新聞紙面を見開き状態で広げられるパネル（１）が三脚のスタンド（３）に保持されている。
図示されていない新聞紙の質量を新聞紙受け（７）で受けて新聞紙位置のセット並びに新聞紙の落下を防止している。
【００１７】
図１では新聞紙受け（７）はパネル面の全幅に設けられているが、必ずしも全幅必要ではなく適宜に部分的であってもよい。また、スタンド（３）の脚部はその上部が安定して支持できるなら三脚に限定されるものではない。
一方、日々の新聞の閲覧は、通常、日常的に行われ持ち運びが伴う場合が多いため閲覧スタンド（２６）の質量は軽いほうが望ましい。
【００１８】
因みに、閲覧スタンド（２６）の全体を鉄系鋼材で製作するとパネル（１）の質量は全体の約８０％で全体質量が１０ｋｇ弱となってかなり重くなる。
従って、少なくともパネル（１）の材質は鉄系鋼材より比重の軽いアルミまたは木材合板等を使用することが望ましい。
【００１９】
しかしながら、垂直または垂直に近い状態のパネル面に新聞紙を見開き状態に広げて使用すると新聞紙は薄く柔らかいため紙面上部がパネル面（２）から剥がれ垂れ下がって紙面が覆われたり新聞紙を新聞紙受け（７）だけでは保持できなくなる問題がある。
そこで、図６は見開き状態に広げられた新聞紙（２２）の少なくとも上部を適宜マグネットボタン（９）の磁力で固定している状態を示す。
【００２０】
図1ではパネル面（２）の上部にマグネットボタン（９）の磁力が有効に作用するようオーステナイト系ステンレス鋼以外の薄い鉄系シート（６）が取り付けられている。鉄系シートの取り付けはパネル面（２）の上部のみではなく更に広くてもよい。
また、鉄系シート（６）のパネル面への取り付けは接着剤または両面テープ等で貼りつけるかまたはビス等で固定してもよい。
【００２１】
なお、本実施例のようにパネル面（２）が二次元平面の場合は、パネル面が左右方向に広いため左右端部の紙面までの距離が閲覧者の目から遠くなって文字等が読みにくくなる。
そのため、図２に示すようにスタンド（３）に対しパネル（１）が容易に回転するようにすることが望ましい。
【００２２】
ここで、当該回転機構の一例を図８および図１４で説明する。
図８および図１４において、上部シャフト（３０）はストッパ（３３）と一体をなしその下部はシャフト回転用ボス（１０）と中間シャフト（３１）の内部に回転自在に挿入されていて、必要に応じ完全締め付けまたは緩い締め付けが締め付けねじＢ（１７）によって任意に行えるようにする。
【００２３】
また、閲覧者に対するパネル面（２）の対向角度は閲覧者の体形および姿勢等によって変更可能であることが望ましく、パネル面（２）の角度を任意に変更可能としている。
ここで、スタンド（３）に対するパネル面（２）の傾きの調整機構の一例を図１１・図１２・図１３で説明する。
【００２４】
ピンＡ（１３）はパネル（１）に固定されているブラケットＡ（３５）と上部シャフト（３０）を貫通して連結している。ピンＢ（１４）はパネル（１）に固定されているブラケットＢ（３６）とリンク板（２０）を貫通して連結している。
ボルト（１５）は上部シャフト（３０）にロックナット（３８）によりロックされて一部をリンク板の溝（３７）を貫通して更にねじ部をリンク板（２０）の外まで出して締め付けねじＡ（１６）の締め付けによってパネル面（２）を任意の角度に調整できるようにしている。
【００２５】
図３は本考案の第２実施例を示している。
パネル面（２）を前記理由により閲覧者から見て凹状の曲面となしパネル面（２）の左右の新聞紙端部の文字等をより読みやすくするようにしている。
【００２６】
図４は本考案の第３実施例を示している。
閲覧スタンドは不使用の際は片付けのため容易な操作でコンパクトに折りたたむことができることが望ましい。
【００２７】
第１実施例における図１の状態ではパネル面（２）が広いため、パネルの左右部分（２８）を観音扉状パネル（２９）として、閲覧スタンド不使用時はパネル（１）の全幅を使用時の半幅程度に折りたたむことができるようにする。
なお、第２実施例についても同様にすることは容易である。
また、観音扉状パネル（２９）の開閉用ヒンジの種類および数量は図４に限定されるものではない。
【００２８】
また、図８および図９の通り、不使用時の閲覧スタンド（２６）は開いた三脚をピンＣ（４３）による連動機構により閉じて、更に前記パネル面傾きの保持・調整機構（３４）によってパネル（１）をスタンド（３）側に倒す。
【００２９】
更に、図８および図１４および図１５において、締め付けねじＢ（１７）・締め付けねじＣ（１８）・締め付けねじＤ（１９）の調整によって、図１０の通りスタンド（３）の全体長さをパネル（１）の高さ方向の寸法内に収めることができるので閲覧スタンド全体をコンパクトに折りたたむことが可能である。
【００３０】
図６は本考案の第４実施例を示している。
折り返しガイド（８）によって全シートを重ねて見開き状態にした新聞紙（２２）の中央折り返し部（２３）の位置決めをすることによって新聞紙面（３９）のページめくりの際に新聞紙（２２）の各シートの中央折り返し部（２３）を保持して適正なページめくりを可能としている。
【００３１】
なお、折り返しガイド（８）は図７に示すように最初に新聞紙（２２）をセットする際に邪魔にならないよう、その際は予め折り返しガイド（８）のバー（４１）が紙面上を回避できるように回転が可能であることが望ましい。
【００３２】
また、折り返しガイド（８）のバー（４１）の先端には滑り止めゴムピース（４０）を有する方が新聞紙（２２）の保持作用上望ましい。
【００３３】
パネル（１）とスタンドシャフト（４）の連結位置は図１６のようにパネル（１）の下部であっても図１７のようにパネル（１）の中間部であってもよい。
【図面の簡単な説明】
【００３４】
【図１】新聞紙面を見開き状態で閲覧可能な本考案の第１実施例を示す。
【図２】パネル面がスタンドの軸を中心に回転可能としたことを示す。
【図３】本考案の第２実施例を示す。
【図４】本考案の第３実施例を示す。
【図５】第３実施例におけるパネル面が閉じられた状態を示す。
【図６】本考案の第４実施例を示す。
【図７】図６におけるＦ部詳細を示す。
【図８】パネル面をスタンド側に倒す要領を示す。
【図９】図１の状態からパネル面をスタンド側に倒した状態を示す。
【図１０】図８の状態から、スタンドの高さがシャフト長さ調節機構により短縮された状態を示す。
【図１１】スタンドとパネルの取り付け状態を示す。
【図１２】図１１のＡ−Ａ矢視を示す。
【図１３】図１２のＢ矢視を示す。
【図１４】図８のＣ−Ｃ断面およびＤ−Ｄ断面を示す。
【図１５】図８のＥ−Ｅ断面を示す
【図１６】本実施例におけるパネルとスタンドシャフトの連結位置を示す。
【図１７】他の実施例におけるパネルとスタンドシャフトの連結位置を示す。
【符号の説明】
【００３５】
１  パネル
２  パネル面
３  スタンド
４  スタンドシャフト
５  スタンド脚
６  鉄系シート
７  新聞紙受け
８  折り返しガイド
９  マグネットボタン
１０  シャフト回転用ボス
１１  シャフト固定用ボス
１２  スタンド脚用移動ハブ
１３  ピンＡ
１４  ピンＢ
１５  ボルト
１６  締め付けねじＡ
１７  締め付けねじＢ
１８  締め付けねじＣ
１９  締め付けねじＤ
２０  リンク板
２１  ヒンジ
２２  新聞紙
２３  新聞紙の折り返し部
２４  木材合板
２５  鉄系鋼材
２６  閲覧スタンド
２７  新聞紙の左右端部
２８  パネルの左右部分
２９  観音扉状パネル
３０  上部シャフト
３１  中間シャフト
３２  下部シャフト
３３  ストッパ
３４  傾き保持・調整機構
３５  ブラケットＡ
３６  ブラケットＢ
３７  リンク板溝
３８  ロックナット
３９  新聞紙面
４０  滑り止めゴムピース
４１  バー
４２  回転軸受
４３  ピンＣ
４４  スタンド脚用固定ハブ
【図１】
2006305045.tif 000003
【図２】
2006305045.tif 000004
【図３】
2006305045.tif 000005
【図４】
2006305045.tif 000006
【図５】
2006305045.tif 000007
【図６】
2006305045.tif 000008
【図７】
2006305045.tif 000009
【図８】
2006305045.tif 000010
【図９】
2006305045.tif 000011
【図１０】
2006305045.tif 000012
【図１１】
2006305045.tif 000013
【図１２】
2006305045.tif 000014
【図１３】
2006305045.tif 000015
【図１４】
2006305045.tif 000016
【図１５】
2006305045.tif 000017
【図１６】
2006305045.tif 000018
【図１７】
2006305045.tif 000019